(57)【特許請求の範囲】
【請求項１】
１つの画素を構成する複数のサブ画素を有し、
前記複数のサブ画素は、サブ画素毎に電気的に独立するよう設けられた複数の第１の電極と前記複数のサブ画素で共有される１つの第２の電極とにより供給される電圧に基づいてそれぞれ所定の表示を行うとともに前記複数のサブ画素でそれぞれ異なる色を表示し、
前記複数のサブ画素が、互いに異なる面積を有し、かつ、それぞれがメモリ性を備えた画素で構成されており、
前記複数のサブ画素はそれぞれ、
基板と、
前記基板上に形成され、前記第１の電極に電位を供給する第１の配線と、
前記基板上に前記第１の配線を覆って形成された第１の絶縁膜と、
前記第１の絶縁膜上に形成され、前記第１の絶縁膜に設けられた第１のコンタクトホールを介して前記第１の配線と接続された第２の配線と、
前記第１の絶縁膜上に前記第２の配線を覆って形成された第２の絶縁膜と、
前記基板に設けられ、表示データを記憶して前記表示データに応じた電位を前記第１の電極に供給する記憶回路と、を有し、
前記第１の電極は、前記第２の絶縁膜上に形成され、前記第２の絶縁膜に設けられた第２のコンタクトホールを介して前記第２の配線と接続され、
１つのサブ画素に設けられる１つの前記第１の電極は、所定方向に沿って並ぶ３つの画素電極からなり、
前記３つの画素電極のうち、前記所定方向の両端に位置する２つの画素電極は、１つの前記第２の配線によって互いに接続されており、当該２つの画素電極の間に存する１つの画素電極は、当該２つの画素電極に対して電気的に独立しており、
前記複数のサブ画素は、前記所定方向に直交する方向に沿って並ぶ３つのサブ画素であり、
他の２つのサブ画素の間に存するサブ画素は、面積が当該他の２つのサブ画素の面積よりも小さく、前記所定方向に直交する方向における前記第１の電極の位置が前記第１のコンタクトホールの位置とずれている、
表示装置。
【請求項２】
前記複数のサブ画素は、赤を表示するサブ画素、緑を表示するサブ画素及び青を表示するサブ画素の３つのサブ画素であり、
前記３つのサブ画素の面積の大小関係は、青を表示するサブ画素＞赤を表示するサブ画素＞緑を表示するサブ画素、となっている
請求項１記載の表示装置。
【請求項３】
所定の電位が供給される電位線を有し、
前記複数のサブ画素のそれぞれは、前記電位線と前記第１の電極との間の導通状態を、前記記憶回路に記憶される表示データに基づいて制御するスイッチ素子を備えている、
請求項１又は２記載の表示装置。
【請求項４】
画像を表示する表示装置を備え、
前記表示装置が、
１つの画素を構成する複数のサブ画素を有し、
前記複数のサブ画素は、サブ画素毎に電気的に独立するよう設けられた複数の第１の電極と前記複数のサブ画素で共有される１つの第２の電極とにより供給される電圧に基づいてそれぞれ所定の表示を行うとともに前記複数のサブ画素でそれぞれ異なる色を表示し、
前記複数のサブ画素が、互いに異なる面積を有し、かつ、それぞれがメモリ性を備えた画素で構成されており、
前記複数のサブ画素はそれぞれ、
基板と、
前記基板上に形成され、前記第１の電極に電位を供給する第１の配線と、
前記基板上に前記第１の配線を覆って形成された第１の絶縁膜と、
前記第１の絶縁膜上に形成され、前記第１の絶縁膜に設けられた第１のコンタクトホールを介して前記第１の配線と接続された第２の配線と、
前記第１の絶縁膜上に前記第２の配線を覆って形成された第２の絶縁膜と、
前記基板に設けられ、表示データを記憶して前記表示データに応じた電位を前記第１の電極に供給する記憶回路と、を有し、
前記第１の電極は、前記第２の絶縁膜上に形成され、前記第２の絶縁膜に設けられた第２のコンタクトホールを介して前記第２の配線と接続され、
１つのサブ画素に設けられる１つの前記第１の電極は、所定方向に沿って並ぶ３つの画素電極からなり、
前記３つの画素電極のうち、前記所定方向の両端に位置する２つの画素電極は、１つの前記第２の配線によって互いに接続されており、当該２つの画素電極の間に存する１つの画素電極は、当該２つの画素電極に対して電気的に独立しており、
前記複数のサブ画素は、前記所定方向に直交する方向に沿って並ぶ３つのサブ画素であり、
他の２つのサブ画素の間に存するサブ画素は、面積が当該他の２つのサブ画素の面積よりも小さく、前記所定方向に直交する方向における前記第１の電極の位置が前記第１のコンタクトホールの位置とずれている、
電子機器。
【発明の詳細な説明】
【技術分野】
【０００１】
本技術は、画像を表示する表示装置、および、電子機器に関する。
【背景技術】
【０００２】
例えば、液晶表示装置では、１つの画素が、互いに異なる色を表示する複数のサブ画素によって構成されている。サブ画素が表示する色の種類は、例えば、赤（Ｒ）、緑（Ｇ）、青（Ｂ）等である。各サブ画素には、画素電極と共通電極とが配置され、各サブ画素は、表示データに従って画素電極と共通電極とにより供給される電圧に基づいて所定の表示を行う。
【０００３】
このような表示装置の中には、白色味を調整するため、例えば、サブ画素の面積を互いに異ならせたものがある。このようなサブ画素を含む画素は、例えば、異型画素と称されている。
【先行技術文献】
【特許文献】
【０００４】
【特許文献１】特開平８−８４３４７号公報
【発明の概要】
【発明が解決しようとする課題】
【０００５】
異型画素の場合、画素電極の面積もサブ画素間で異なることとなる。これにより、画素電極と共通電極との間の容量が、サブ画素間で異なってしまう。
【０００６】
一方、表示装置では、画素電極への電位供給時、画素電極と信号線との間に配置された薄膜トランジスタ（ＴＦＴ：Thin Film Transistor）等のスイッチ素子がオンして、画素電極に電荷がチャージされる。その後、スイッチ素子がオフして、画素電極が信号線から電気的に切り離されてフローティング状態となる。
【０００７】
このとき、所定時間（例えば、表示データ１フレーム分の書き込み時間）、画素電極の電位を一定に保持する必要があるが、スイッチ素子によるリークや、画素電極と周辺の配線との間の寄生容量によって、画素電極の電位が変動してしまうことがある。この場合、フリッカーやスジ等の画質不良が発生してしまう可能性がある。
【０００８】
これに対して、蓄積コンデンサを付加して画素電極の電位変動を小さくする方法や、共通電極の電位を調整して極性反転前後の積算電圧が等しくなるようにし、フリッカーを見えないようにする方法等がある。しかしながら、異型画素のように、画素電極と共通電極との間の容量がサブ画素間で異なる場合には、この調整がより一層複雑になり、困難なものとなる。
【０００９】
このような点に鑑み、開示の表示装置、および、電子機器では、異型画素を備えた表示装置の画質を向上することを目的とする。
【課題を解決するための手段】
【００１０】
上記目的を達成するために以下のような表示装置、および、電子機器が提供される。
この表示装置は、１つの画素を構成し、それぞれが第１の電極と第２の電極とにより供給される電圧に基づいて所定の表示を行うとともに互いに異なる色を表示する複数のサブ画素を有し、複数のサブ画素が、互いに異なる面積を有し、かつ、それぞれがメモリ性を備えた画素で構成されている。
【００１１】
また、この電子機器は、画像を表示する表示装置を備え、表示装置が、１つの画素を構成し、それぞれが第１の電極と第２の電極とにより供給される電圧に基づいて所定の表示を行うとともに互いに異なる色を表示する複数のサブ画素を有し、複数のサブ画素が、互いに異なる面積を有し、かつ、それぞれがメモリ性を備えた画素で構成されている。
【発明の効果】
【００１２】
開示の表示装置、および、電子機器によれば、異型画素を備えた表示装置の画質を向上することが可能となる。
【図面の簡単な説明】
【００１３】
【図１】第１の実施の形態に係る液晶表示装置の一例を示す図である。
【図２】第１の実施の形態に係る画素の一例を示す断面図である。
【図３】第１の実施の形態に係るサブ画素の一例を示す断面図である。
【図４】第１の実施の形態に係るサブ画素の画素回路の一例を示す図である。
【図５】第１の実施の形態に係るコンタクト部の配置の一例を示す図である。
【図６】第２の実施の形態に係る画素の一例を示す平面図である。
【図７】第２の実施の形態に係るサブ画素の一例を示す平面図である。
【図８】液晶表示装置が適用されるテレビジョン装置の外観の一例を示す図である。
【図９】液晶表示装置が適用されるデジタルカメラの外観の一例を示す図である。
【図１０】液晶表示装置が適用されるノート型パーソナルコンピュータの外観の一例を示す図である。
【図１１】液晶表示装置が適用されるビデオカメラの外観の一例を示す図である。
【図１２】液晶表示装置が適用される携帯電話機の外観の一例を示す図である。
【発明を実施するための形態】
【００１４】
以下、実施の形態を図面を参照して説明する。
［第１の実施の形態］
図１は、第１の実施の形態に係る液晶表示装置の一例を示す図である。図１（Ａ）は、液晶表示装置１００の一例を示す平面図であり、図１（Ｂ）は、画素１０１の一例を示す平面図である。
【００１５】
図１（Ａ）に示すように、液晶表示装置１００は、マトリックス状に配置された複数の画素１０１を有している。画素１０１は、所定の色を表示する。画素１０１は、ピクセルとも称される。
【００１６】
さらに、画素１０１は、図１（Ｂ）に示すように、複数のサブ画素１０１ａ〜１０１ｃを含んでいる。複数のサブ画素１０１ａ〜１０１ｃは、互いに異なる色を表示する。ここでは、サブ画素１０１ａは、赤（Ｒ）を表示し、サブ画素１０１ｂは、緑（Ｇ）を表示し、サブ画素１０１ｃは、青（Ｂ）を表示する。なお、サブ画素の個数は、３つに限定されるものではなく、例えば、白（Ｗ）、黄（Ｙ）、シアン（Ｃ）等の色を表示するサブ画素が追加されていてもよい。
【００１７】
また、サブ画素１０１ａ〜１０１ｃは、互いに異なる面積を備えている。ここでは、面積の大小関係は、サブ画素１０１ｃ＞サブ画素１０１ａ＞サブ画素１０１ｂ、となっている。このように、互いに面積の異なるサブ画素１０１ａ〜１０１ｃを含む画素１０１は、例えば、異型画素と称される。このように、サブ画素１０１ａ〜１０１ｃの面積を互いに異ならせることで、白色味を調整することが可能となる。
【００１８】
図２は、第１の実施の形態に係る画素の一例を示す断面図である。
画素１０１は、アレイ基板１１０と、対向基板１２０と、液晶層１３０とを有している。なお、画素１０１では、画素電極１１２ａ〜１１２ｃがアレイ基板１１０側に形成され、共通電極１２３が対向基板１２０側に形成されているが、共通電極１２３はアレイ基板１１０側に形成されていてもよい。
【００１９】
アレイ基板１１０は、表面１１１ａと、表面１１１ａとは反対側の表面１１１ｂとを有した透明基板１１１を有している。透明基板１１１には、例えば、ガラス基板が用いられている。表面１１１ａ上には、画素電極１１２ａ〜１１２ｃが形成されている。
【００２０】
画素電極１１２ａはサブ画素１０１ａに配置され、画素電極１１２ｂはサブ画素１０１ｂに配置され、画素電極１１２ｃはサブ画素１０１ｃに配置されている。画素電極１１２ａ〜１１２ｃには、反射性を備えた金属、例えば、銀（Ａｇ）が用いられている。
【００２１】
対向基板１２０は、表面１２１ａと、表面１２１ａとは反対側の表面１２１ｂとを備えた透明基板１２１を有している。透明基板１２１には、例えば、ガラス基板が用いられている。透明基板１２１は、表面１２１ａが透明基板１１１の表面１１１ａと対向するように配置されている。
【００２２】
表面１２１ａ上には、カラーフィルタ１２２ａ〜１２２ｃが形成されている。例えば、カラーフィルタ１２２ａは赤色のフィルタであり、カラーフィルタ１２２ｂは緑色のフィルタであり、カラーフィルタ１２２ｃは青色のフィルタである。
【００２３】
ここで、画素１０１は、例えば、カラーフィルタ１２２ａ〜１２２ｃの境界に沿って、サブ画素１０１ａ〜１０１ｃに分割されている。すなわち、カラーフィルタ１２２ａが配置されている部分がサブ画素１０１ａとなり、カラーフィルタ１２２ｂが配置されている部分がサブ画素１０１ｂとなり、カラーフィルタ１２２ｃが配置されている部分がサブ画素１０１ｃとなる。
【００２４】
さらに、カラーフィルタ１２２ａ〜１２２ｃ上には、共通電極１２３が形成されている。共通電極１２３には、例えば、ＩＴＯ（Indium Tin Oxide）やＩＺＯ（Indium Zinc Oxide）等の透明電極が用いられている。
【００２５】
そして、アレイ基板１１０と対向基板１２０との間に、液晶層１３０が形成されている。画素１０１では、液晶層１３０に対してサブ画素１０１ａ〜１０１ｃ毎に、各画素電極１１２ａ〜１１２ｃと共通電極１２３とにより表示データに基づいた電圧が供給される。これにより、サブ画素１０１ａ〜１０１ｃ毎に液晶層１３０の液晶分子の向きが供給される電圧に基づいて変化する。
【００２６】
この状態で、透明基板１２１の表面１２１ｂ側から入射した光が、画素電極１１２ａ〜１１２ｃにより反射され、反射された光が液晶層１３０を介して表面１２１ｂ側に出射することで、表面１２１ｂ側に所定の色が表示される。すなわち、画素１０１は、反射表示型の画素である。
【００２７】
次に、サブ画素のアレイ基板１１０側の構造について詳細に説明する。ここでは、サブ画素１０１ａ〜１０１ｃを代表してサブ画素１０１ａについて説明する。なお、サブ画素１０１ｂ，１０１ｃもサブ画素１０１ａと同様の構成を備えている。
【００２８】
図３は、第１の実施の形態に係るサブ画素の一例を示す断面図である。
サブ画素１０１ａでは、透明基板１１１の表面１１１ａ上に、画素電極１１２ａに電位を供給する配線１４１が形成されている。配線１４１には、例えば、チタン（Ｔｉ）、アルミニウム（Ａｌ）、および、チタンが順番に積層された積層膜が用いられる。
【００２９】
さらに、表面１１１ａ上には、配線１４１を覆って絶縁膜１４２が形成されている。絶縁膜１４２は、平坦化膜としても機能する。絶縁膜１４２には、配線１４１の一部を露出するコンタクトホール１４２ａが設けられている。
【００３０】
絶縁膜１４２上には、中継配線１４３が形成されている。中継配線１４３は、一端がコンタクトホール１４２ａを介して配線１４１に接続され、他端がコンタクトホール１４２ａから遠ざかる方向に延在している。中継配線１４３には、例えば、ＩＴＯ膜が用いられる。
【００３１】
さらに、絶縁膜１４２上には、中継配線１４３を覆って絶縁膜１４４が形成されている。絶縁膜１４４は、平坦化膜としても機能する。絶縁膜１４４には、中継配線１４３の一部を露出するコンタクトホール１４４ａが設けられている。
【００３２】
そして、絶縁膜１４４上に、画素電極１１２ａが形成されている。画素電極１１２ａは、コンタクトホール１４４ａを介して中継配線１４３に接続されている。すなわち、画素電極１１２ａは、コンタクトホール１４４ａ、中継配線１４３、および、コンタクトホール１４２ａを介して、配線１４１に電気的に接続されている。
【００３３】
このように、中継配線１４３が形成されていることで、コンタクトホール１４４ａの位置を、配線１４１から離れた位置に設定することが可能となる。これにより、コンタクトホール１４４ａの配置の自由度を向上することが可能となる。
【００３４】
ここで、第１の実施の形態では、図１（Ｂ）に示すように、各サブ画素１０１ａ〜１０１ｃが、メモリ性を備えた画素（メモリ性画素）により構成されている。メモリ性画素とは、表示データを記憶する機能を備えた画素である。メモリ性画素には、例えば、ＭＩＰ（Memory In Pixel）タイプのもの、電子ペーパータイプのもの、強誘電液晶タイプのもの等がある。
【００３５】
サブ画素１０１ａ〜１０１ｃが、ＭＩＰタイプのメモリ性画素で構成される場合、各サブ画素１０１ａ〜１０１ｃには、透明基板１１１の表面１１１ａ上に記憶回路を含む画素回路が形成され、この記憶回路に表示データが記憶される。そして、画素回路によって、記憶回路に記憶された表示データに応じた電位が画素電極に供給される。これにより、画素電極の電位変動を抑制することができる。
【００３６】
また、サブ画素１０１ａ〜１０１ｃが、電子ペーパータイプのメモリ性画素で構成される場合、液晶層１３０には、例えば、コレステリック液晶が用いられる。この場合、液晶層１３０の液晶分子の配向は、液晶層１３０に対する電圧供給が停止した後も維持される。つまり、液晶層１３０の液晶分子の配向状態によって、表示データが記憶される。これにより、サブ画素１０１ａ〜１０１ｃは、画素電極の電位が変動したとしても、表示状態を維持することが可能となる。
【００３７】
また、サブ画素１０１ａ〜１０１ｃが、強誘電液晶タイプのメモリ性画素で構成される場合、液晶層１３０には、強誘電液晶が用いられる。この場合、液晶層１３０の液晶分子の配向は、液晶層１３０に対する電圧供給が停止した後も維持される。つまり、液晶層１３０の液晶分子の配向状態によって、表示データが記憶される。これにより、サブ画素１０１ａ〜１０１ｃ画素電極の電位が変動したとしても、表示状態を維持することが可能となる。
【００３８】
次に、サブ画素１０１ａ〜１０１ｃが、ＭＩＰタイプのメモリ性画素で構成される場合について詳細に説明する。
図４は、第１の実施の形態に係るサブ画素の画素回路の一例を示す図である。
サブ画素１０１ａ〜１０１ｃが、ＭＩＰタイプのメモリ性画素で構成される場合、各サブ画素１０１ａ〜１０１ｃには、画素回路１０が形成される。画素回路１０は、例えば、透明基板１１１の表面１１１ａ上に形成される。
【００３９】
画素回路１０は、走査線１１と、信号線１２と、電位線１３，１４と、スイッチ素子１５〜１７と、ラッチ回路１８と、出力ノードＮout（画素電極）とを有するＳＲＡＭ機能付きの回路である。なお、液晶容量１９は、画素電極と共通電極との間の容量を示している。共通電極には、コモン電位Ｖcomが供給される。
【００４０】
走査線１１には、図示しない駆動回路から走査信号φＶ（φＶ1〜φＶm）が供給される。信号線１２には、図示しない駆動回路から表示データＳＩＧが供給される。電位線１３には、コモン電位Ｖcomと逆相の制御パルスＸＦＲＰが供給される。電位線１４には、コモン電位Ｖcomと同相の制御パルスＦＲＰが供給される。
【００４１】
スイッチ素子１５は、信号線１２とラッチ回路１８との間に接続され、走査線１１に供給される走査信号φＶ（φＶ1〜φＶm）に応じて、信号線１２とラッチ回路１８との間の導通状態を制御する。例えば、スイッチ素子１５がオンすると、表示データＳＩＧがラッチ回路１８に供給される。
【００４２】
ラッチ回路１８は、互いに逆向きに並列接続されたインバータ１８ａ，１８ｂによって構成されており、スイッチ素子１５を介して供給された表示データＳＩＧに基づいた電位を保持する。
【００４３】
スイッチ素子１６は、電位線１３と出力ノードＮoutとの間に接続され、ラッチ回路１８の保持電位の極性に応じて、電位線１３と出力ノードＮoutとの間の導通状態を制御する。例えば、スイッチ素子１６がオンすると、制御パルスＸＦＲＰが出力ノードＮoutに供給される。
【００４４】
スイッチ素子１７は、電位線１４と出力ノードＮoutとの間に接続され、ラッチ回路１８の保持電位の極性に応じて、電位線１４と出力ノードＮoutとの間の導通状態を制御する。例えば、スイッチ素子１７がオンすると、制御パルスＦＲＰが出力ノードＮoutに供給される。ここで、スイッチ素子１６，１７は、いずれか一方のみがオンする。
【００４５】
画素回路１０では、ラッチ回路１８の保持電位が負側極性のときは、スイッチ素子１７がオンし、出力ノードＮoutに制御パルスＦＲＰが供給され、画素電極の電位がコモン電位Ｖcomと同相になる。また、ラッチ回路１８の保持電位が正側極性のときは、スイッチ素子１６がオンし、出力ノードＮoutに制御パルスＸＦＲＰが供給され、画素電極の電位がコモン電位Ｖcomと逆相になる。
【００４６】
このように、画素回路１０では、スイッチ素子１５がオフした後も、ラッチ回路１８により表示データＳＩＧに基づいた電位が保持され、この保持電位に応じて、画素電極に制御パルスＦＲＰ，ＸＦＲＰの一方が供給される。この構成によれば、スイッチ素子１５がオフした後に画素電極の電位が変動することを抑制できる。
【００４７】
以上説明してきたように、液晶表示装置１００によれば、サブ画素１０１ａ〜１０１ｃは、それぞれがメモリ性を備えた画素で構成されている。この構成によれば、画素電極の電位変動を抑制することができ、または、画素電極の電位が変動しても各サブ画素１０１ａ〜１０１ｃの表示状態を維持することができる。このため、サブ画素１０１ａ〜１０１ｃにおいて、画素電極と共通電極との間の容量を調整することなく、スジやフリッカーの発生を抑制することができる。
【００４８】
ところで、例えば、サブ画素１０１ａ〜１０１ｃが、ＭＩＰタイプのメモリ性画素で構成される場合、透明基板１１１の表面１１１ａ上には、画素回路１０が配置される。このとき、表面１１１ａ上には、画素回路１０を構成する複数の配線やトランジスタが配置されるため、配線レイアウトが制限され、画素電極１１２ａ〜１１２ｃに電位を供給する各配線のコンタクト部を、所定の位置に配置できない可能性がある。
【００４９】
図５は、第１の実施の形態に係るコンタクト部の配置の一例を示す図である。
例えば、図５（Ａ）では、各画素電極１１２ａ〜１１２ｃに電位を供給する配線のコンタクト部１４１ａ〜１４１ｃのうち、コンタクト部１４１ｂが画素電極１１２ｂとずれて配置されている。この場合、コンタクト部１４１ｂと画素電極１１２ｂとを直接、接続することはできない。
【００５０】
これに対して、画素１０１では、サブ画素１０１ａ〜１０１ｃ毎に、画素電極１１２ａ〜１１２ｃに電位を供給する配線と、画素電極１１２ａ〜１１２ｃとを接続する中継配線が形成されている。
【００５１】
この構成によれば、中継配線の一端をコンタクト部１４１ａ〜１４１ｃに接続し、他端（コンタクト部１４３ａ〜１４３ｃ）を、図５（Ｂ）に示すように、画素電極１１２ａ〜１１２ｃの直下に配置させることができる。そして、画素電極１１２ａ〜１１２ｃをコンタクト部１４３ａ〜１４３ｃと接続することで、画素電極１１２ａ〜１１２ｃとコンタクト部１４１ａ〜１４１ｃとを電気的に接続することが可能となる。
【００５２】
これにより、画素１０１では、画素電極１１２ａ〜１１２ｃの配置が、コンタクト部１４１ａ〜１４１ｃの配置によって制限されない。このため、各サブ画素１０１ａ〜１０１の面積比を自由に設定することが可能となる。
【００５３】
［第２の実施の形態］
次に、第２の実施の形態について説明する。
図６は、第２の実施の形態に係る画素の一例を示す平面図である。
画素２０１は、サブ画素がそれぞれ、複数の画素電極を備えている点、および、中継配線のレイアウトが、第１の実施の形態の画素１０１とは異なる。その他の構成は、画素１０１と同様である。
【００５４】
図６に示すように、画素２０１は、複数のサブ画素２０１ａ〜２０１ｃを含んでいる。複数のサブ画素２０１ａ〜２０１ｃは、互いに異なる色を表示する。ここでは、サブ画素２０１ａは、赤を表示し、サブ画素２０１ｂは、緑を表示し、サブ画素２０１ｃは、青を表示する。
【００５５】
また、画素２０１は、異型画素であり、サブ画素２０１ａ〜２０１ｃは、互いに異なる面積を備えている。ここでは、面積の大小関係は、サブ画素２０１ｃ＞サブ画素２０１ａ＞サブ画素２０１ｂ、となっている。このように、サブ画素２０１ａ〜２０１ｃの面積を互いに異ならせることで、白色味を調整することが可能となる。
【００５６】
さらに、サブ画素２０１ａ〜２０１ｃはそれぞれ、３つの画素電極２１１ａ〜２１３ａ，２１１ｂ〜２１３ｂ，２１１ｃ〜２１３ｃを備えている。すなわち、各サブ画素２０１ａ〜２０１ｃは、３つの画素電極の組み合わせによって諧調表示を可能とする面積諧調表示用の構造を備えている。
【００５７】
次に、サブ画素について詳細に説明する。ここでは、サブ画素２０１ａ〜２０１ｃを代表してサブ画素２０１ａについて説明する。なお、サブ画素２０１ｂ，２０１ｃもサブ画素２０１ａと同様の構成を備えている。
【００５８】
図７は、第２の実施の形態に係るサブ画素の一例を示す平面図である。
サブ画素２０１ａには、中継配線２２０，２３０が形成されている。中継配線２２０は、画素電極２１１ａの直下から、画素電極２１２ａの下を通過し、画素電極２１３ａの直下まで延在している。中継配線２３０は、画素電極２１２ａの直下に位置している。
【００５９】
中継配線２２０は、コンタクト部２２１で画素電極２１１ａ，２１３ａに電位を供給する配線（図示せず）と接続し、コンタクト部２２２で画素電極２１１ａと接続し、コンタクト部２２３で画素電極２１３ａと接続している。すなわち、画素電極２１１ａと画素電極２１３ａとは中継配線２２０を介して接続されている。中継配線２３０は、コンタクト部２３１で画素電極２１２ａに電位を供給する配線（図示せず）と接続し、コンタクト部２３２で画素電極２１２ａと接続している。
【００６０】
このように、サブ画素２０１ａでは、中継配線２２０，２３０が形成されているため、中継配線２２０，２３０を引き回すことで、画素電極２１１ａ〜２１３ａを、コンタクト部２２１，２３１の位置に制限されることなく、自由に配置させることが可能となる。
【００６１】
（モジュールおよび適用例）
次に、図８〜図１２を参照して、上記実施の形態で説明した液晶表示装置の適用例について説明する。上記実施の形態の液晶表示装置は、外部から入力された映像信号あるいは内部で生成した映像信号を、画像あるいは映像として表示するあらゆる分野の電子機器に適用することが可能である。このような電子機器は、例えば、テレビジョン装置、デジタルカメラ、ノート型パーソナルコンピュータ、携帯電話機等の携帯端末装置あるいはビデオカメラ等である。
【００６２】
（適用例１）
図８は、液晶表示装置が適用されるテレビジョン装置の外観の一例を示す図である。このテレビジョン装置は、例えば、フロントパネル５１１およびフィルターガラス５１２を含む映像表示画面部５１０を有しており、この映像表示画面部５１０は、上記実施の形態に係る液晶表示装置により構成されている。
【００６３】
（適用例２）
図９は、液晶表示装置が適用されるデジタルカメラの外観の一例を示す図である。図９（Ａ）は、表側から見た斜視図であり、図９（Ｂ）は、裏側から見た斜視図である。このデジタルカメラは、例えば、フラッシュ用の発光部５２１、表示部５２２、メニュースイッチ５２３およびシャッターボタン５２４を有しており、その表示部５２２は、上記実施の形態に係る液晶表示装置により構成されている。
【００６４】
（適用例３）
図１０は、液晶表示装置が適用されるノート型パーソナルコンピュータの外観の一例を示す図である。このノート型パーソナルコンピュータは、例えば、本体５３１、文字等の入力操作のためのキーボード５３２および画像を表示する表示部５３３を有しており、その表示部５３３は、上記実施の形態に係る液晶表示装置により構成されている。
【００６５】
（適用例４）
図１１は、液晶表示装置が適用されるビデオカメラの外観の一例を示す図である。このビデオカメラは、例えば、本体部５４１、この本体部５４１の前方側面に設けられた被写体撮影用のレンズ５４２、撮影時のスタート／ストップスイッチ５４３および表示部５４４を有している。その表示部５４４は、上記実施の形態に係る液晶表示装置により構成されている。
【００６６】
（適用例５）
図１２は、液晶表示装置が適用される携帯電話機の外観の一例を示す図である。図１２（Ａ）は、携帯電話機を開いた状態の正面図、図１２（Ｂ）は、図１２（Ａ）の側面図である。さらに、図１２（Ｃ）は、携帯電話機を閉じた状態の正面図、図１２（Ｄ）は、図１２（Ｃ）の左側面図、図１２（Ｅ）は、図１２（Ｃ）の右側面図、図１２（Ｆ）は、図１２（Ｃ）の上側面図、図１２（Ｇ）は、図１２（Ｃ）の下側面図である。
【００６７】
この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０およびサブディスプレイ７５０は、上記実施の形態に係る液晶表示装置により構成されている。
【００６８】
なお、本技術は以下のような構成も採ることができる。
（１）  １つの画素を構成し、それぞれが第１の電極と第２の電極とにより供給される電圧に基づいて所定の表示を行うとともに互いに異なる色を表示する複数のサブ画素を有し、
前記複数のサブ画素が、互いに異なる面積を有し、かつ、それぞれがメモリ性を備えた画素で構成されている、
表示装置。
（２）  前記複数のサブ画素のそれぞれは、表示データを記憶する記憶回路を備えている、
前記（１）記載の表示装置。
（３）  所定の電位が供給される電位線を有し、
前記複数のサブ画素のそれぞれは、前記電位線と前記第１の電極との間の導通状態を、前記記憶回路に記憶される表示データに基づいて制御するスイッチ素子を備えている、
前記（２）記載の表示装置。
（４）  前記複数のサブ画素はそれぞれ、
基板と、
前記基板上に形成され、前記第１の電極に電位を供給する第１の配線と、
前記基板上に前記第１の配線を覆って形成された第１の絶縁膜と、
前記第１の絶縁膜上に形成され、前記第１の絶縁膜に設けられた第１のコンタクトホールを介して前記第１の配線と接続された第２の配線と、
前記第１の絶縁膜上に前記第２の配線を覆って形成された第２の絶縁膜と、を有し、
前記第１の電極は、前記第２の絶縁膜上に形成され、前記第２の絶縁膜に設けられた第２のコンタクトホールを介して前記第２の配線と接続されている、
前記（１）〜（３）のいずれか１つに記載の表示装置。
（５）  前記第１の電極は、第１の電極部と第２の電極部とを含み、
前記第１の電極部と前記第２の電極部とは、前記第２の配線によって互いに接続されている、
前記（４）記載の表示装置。
（６）  画像を表示する表示装置を備え、
前記表示装置が、
１つの画素を構成し、それぞれが第１の電極と第２の電極とにより供給される電圧に基づいて所定の表示を行うとともに互いに異なる色を表示する複数のサブ画素を有し、
前記複数のサブ画素が、互いに異なる面積を有し、かつ、それぞれがメモリ性を備えた画素で構成されている、
電子機器。
【符号の説明】
【００６９】
１０……画素回路、１１……走査線、１２……信号線、１３，１４……電位線、１５〜１７……スイッチ素子、１８……ラッチ回路、１８ａ，１８ｂ……インバータ、１９……液晶容量、１００……液晶表示装置、１０１，２０１……画素、１０１ａ〜１０１ｃ，２０１ａ〜２０１ｃ……サブ画素、１１０……アレイ基板、１１１，１２１……透明基板、１１１ａ，１１１ｂ，１２１ａ，１２１ｂ……表面、１１２ａ〜１１２ｃ，２１１ａ〜２１３ａ，２１１ｂ〜２１３ｂ，２１１ｃ〜２１３ｃ……画素電極、１２０……対向基板、１２２ａ〜１２２ｃ……カラーフィルタ、１２３……共通電極、１３０……液晶層、１４１……配線、１４１ａ〜１４１ｃ，１４３ａ〜１４３ｃ，２２１〜２２３，２３１，２３２……コンタクト部、１４２，１４４……絶縁膜、１４２ａ，１４４ａ……コンタクトホール、１４３，２２０，２３０……中継配線
【図１】
0005893449.tif 000002
【図２】
0005893449.tif 000003
【図３】
0005893449.tif 000004
【図４】
0005893449.tif 000005
【図５】
0005893449.tif 000006
【図６】
0005893449.tif 000007
【図７】
0005893449.tif 000008
【図８】
0005893449.tif 000009
【図９】
0005893449.tif 000010
【図１０】
0005893449.tif 000011
【図１１】
0005893449.tif 000012
【図１２】
0005893449.tif 000013